(57)【要約】【課題】バックライト装置が部分的に不要になり、その分、厚さを薄くすることができる表示装置を提供する。【解決手段】液晶層を挟んで対向する２枚の透明基板を有する表示パネルを二枚重ねして構成される表示装置であって、第１の表示パネル１０１において、第２の透明基板１１１は導光機能付透明基板を構成するようになり、この第２の透明基板１１１と反射層１１３と光制御層１１５と光源１１６とで、被照明体である第２の表示パネル１０２を照明する照明手段を構成し、この導光機能付透明基板から出射した光Ｆで第２の表示パネル１０２を照明するようにした。【選択図】  図１１
2006058331.tif 000002
【特許請求の範囲】
【請求項１】
液晶を挟んで対向する２枚の透明基板を有する表示パネルを備えた表示装置であって、前記一方及び他方のいずれかの前記透明基板が、光を導光する導光部材としての機能を有し、この導光機能付透明基板に入射した光は前記液晶を介さずに外部に出射することを特徴とする表示装置。
【請求項２】
前記導光機能付透明基板の前記液晶層側に反射層を設けて、前記導光機能付透明基板に入射した入射光を前記反射層で反射させて出射して、この出射光を照明光にするようにしたことを特徴とする請求項１に記載の表示装置。
【請求項３】
前記導光機能付基板の前記反射層とは反対側に、凹凸形状により光の進行方向を制御する光制御部材を設けるようにしたことを特徴とする請求項２に記載の表示装置。
【請求項４】
前記光制御部材は、前記導光機能付基板に直接接着されていることを特徴とする請求項３に記載の表示装置。
【請求項５】
液晶を挟んで対向する２枚の透明基板を有する表示パネルを二枚重ねして構成される表示装置であって、
前記一方の表示パネルの前記他方の表示パネル側の前記透明基板が、光を導光する導光部材としての機能を有し、この導光機能付透明基板から出射した光が前記他方の表示パネルを照明するようにしたことを特徴とする表示装置。
【請求項６】
前記導光機能付透明基板の前記液晶層側に反射層を設けて、前記導光機能付透明基板に入射した入射光を前記反射層で反射させて出射して、この出射光を照明光にするようにしたことを特徴とする請求項５に記載の表示装置。
【請求項７】
前記導光機能付基板と前記他方の表示パネルの間に、凹凸形状により光の進行方向を制御する光制御部材を少なくとも一つを設けるようにしたことを特徴とする請求項５又は請求項６に記載の表示装置。
【請求項８】
前記導光機能付基板に最も近く配設される前記光制御部材の平面の大きさは、前記他方の表示パネルの平面の大きさとほぼ同じであることを特徴とする請求項７に記載の表示装置。
【請求項９】
前記一方の表示パネルの表示領域が前記他方の表示パネルの表示領域より大きいことを特徴とする請求項６に記載の表示装置。
【請求項１０】
前記導光機能付基板に最も近く配設される前記光制御部材は、前記導光機能付基板に直接接着されていることを特徴とする請求項７に記載の表示装置。
【請求項１１】
前記導光機能付基板の側方に光源を有することを特徴とする請求項５に記載の表示装置。
【請求項１２】
前記一方の表示パネルの外側に、前記一方の表示パネルの照明光を出射するフロントライトを配設したことを特徴とする請求項５に記載の表示装置。
【請求項１３】
前記フロントライトは、導光部材を有していて、この導光部材の前記一方の表示パネルとは反対側の面部に、光の進行方向を制御する光制御層を設けると共に、前記導光部材の一辺に光源を配置して構成してあり、前記光源からの発光を前記導光部材に入射させて前
記光制御層で反射させて出射させて、この出射光を前記照明光にするようにしたことを特徴とする請求項１２に記載の表示装置。
【請求項１４】
電極を有する第１の透明基板と電極を有する第２の透明基板が液晶層を挟んで対向する構成を有する一方の表示パネルと、電極を有する第３の透明基板と電極を有する第４の透明基板が液晶層を挟んで対向する構成を有する他方の表示パネルとを重ね合わせた構成を有する表示装置において、
前記一方の表示パネルにおける前記他方の表示パネル側に位置する前記第２の透明基板には、その前記液晶層側に反射層が配設されており、前記第２の透明基板の前記反射層とは反対側の面部には少なくとも前記他方の表示パネルの表示領域を覆うプリズムシートが配設されており、且つ前記第２の透明基板の一辺に光源が配設されていることを特徴とする表示装置。
【請求項１５】
対向する電極を有する２枚の基板の間に電気光学変換部材を封止した構成を有する表示パネルを有する表示装置において、
表示パネルに基板が光を導光する導光部材としての機能を有すると共にこの導光部材としての機能を有する導光機能付基板から出る光は主に前記表示パネルとは異なる他のパネルを照明することを特徴とする表示装置。
【請求項１６】
前記導光機能付基板の前記他のパネルと対向するの面と反対側の面の上には、反射層が配設されており、前記反射層は前記導光機能付基板に入射する光を前記他のパネル側に反射し前記電気光学変換部材には光を進行させないことを特徴とする請求項１５に記載の表示装置。
【請求項１７】
前記導光機能付基板と前記他のパネルの間には、凹凸形状により光の進行方向を制御する光制御部材が少なくとも１つも設けられることを特徴とする請求項１５または１６に記載の表示装置。
【発明の詳細な説明】
【技術分野】
【０００１】
本発明は、電気光学変換部材として液晶を用いた液晶表示装置のような表示装置に係わり、特に、２枚の表示パネルを互いに背合わせに配置し、その各表示パネルを視認可能にした両面表示の表示装置に関するものである。
また、本発明は、電気光学変換部材が液晶に限らず他の電気光学変換部材でも良く、対向する２枚の基板間に電気光学変換部材を封止した構成を為す表示パネルを有する表示装置に適用できるものであるが、下記説明の光を導光する機能を有する基板は、基板内が少なくとも透明であることが好ましく、多少透明度が落ちているあるいは曇っているあるいは光拡散機能を有していても良い。
【背景技術】
【０００２】
液晶表示装置は、低消費電力で薄型軽量な表示装置として様々な分野で急速に発展してきた。特に近年、発展が著しい携帯電話器では、そのすべてに液晶表示装置が採用されている。
【０００３】
携帯電話器に採用される液晶表示装置には、特に、低消費電力を重視して電池寿命を長くするために反射型の液晶表示装置が用いられる場合が多い。さらに、そのほとんどがバックライトを装備した半透過型の液晶表示装置である。これは、液晶表示装置が自発光型の表示装置でないために、充分な外光を得ることができない暗い環境では表示を視認しにくくなってしまうので、バックライトの照明により視認性を向上しようとするものである。
【０００４】
また、電子メールなどの情報通信が発展するとともに液晶表示画面も大きくなり、携帯電話器が大型化してきている。そこで、液晶画面を保護する利点と携帯性が向上する利点を備えた折り畳み式の携帯電話器が開発されている。
【０００５】
この折り畳み式の携帯電話器では、通常は折り畳んでいるために現在時刻の確認や着信表示などの情報を得るたびに電話器を開いて確認する必要があった。このような不便を解消するために、最近の携帯電話器では液晶表示装置とは別に、折り畳んだ状態でも視認できる位置に液晶表示装置を配置し、そこに各種情報を常に表示するようになってきた。
【０００６】
その場合、携帯電話を開いた状態で使用する第１の液晶表示装置と折り畳んだ状態で使用する第２の液晶表示装置は、共に暗い環境でも使用できる必要があるため、バックライトを備えた半透過型の液晶表示装置が使用されている。
【０００７】
図１３は、従来用いられているこの種の携帯電話器の構造例を示している。この携帯電話器１０００は、本体部１１００と蓋体部１２００とがヒンジ部１３００によって開閉可能に回動結合してある。そして、本体部１１００の上面にはキーボード１１０９を備え、蓋体部１２００には第１の液晶表示装置１１０１と第２の液晶表示装置１１０２が背合わせに配置されて、両面表示の表示装置を構成している。
【０００８】
その第１の液晶表示装置１１０１は第１の表示パネル１１０３と第１のバックライト１１０４で構成してあり、第２の液晶表示装置１１０２は第２の表示パネル１１０５と第２のバックライト１１０６で構成してある。また、蓋体部１２００の筐体の内側（図で右側）の面と外側（図で左側）の面には、それぞれ表示パネル１１０３、１１０５を視認できるように、第１の風防窓１１０７と第２の風防窓１１０８が設けてある。
【０００９】
この図１３に示す携帯電話器１０００による表示機能について説明する。使用者がこの携帯電話器１０００を使用するときには、本体部１１００に折り重なっている蓋体部１２００を矢示方向へ回動させて開く。この場合には、第１の表示パネル１１０３が表示し、第１のバックライト１１０４が点灯する。このとき、第２の表示パネル１１０５は表示しているが、第２のバックライト１１０６は消灯している。そこで、使用者は、第１の液晶表示装置１１０１の表示を視認しながら、本体部１１００のキーボード１１０９を操作することができる。
【００１０】
次に、使用者が携帯電話器１０００を折り畳んで携帯する場合には、蓋体部１２００を矢示と反対方向に回動させて本体部１１００に重なるように折り畳むと同時に、第１の表示パネル１１０３の表示を停止し、第１のバックライト１１０４も消灯する。一方で、第２の表示パネル１１０５を表示したまま第２のバックライト１１０６を点灯する。なお、この第２のバックライト１１０６は数十秒後に消灯する。また、第２のバックライト１１０６は着信時などには点灯し、使用者がキーなどを押した場合にも点灯する。
【００１１】
また、従来の液晶表示装置としては、特許文献１に述べられているように、図１４に示す液晶表示装置が提案されている。この液晶表示装置は、第１の表示パネル４０と第２の表示パネル５０の間にバックライト装置５１を設けた構成である。
【００１２】
第１の表示パネル４０は、反射型の白黒液晶表示装置で、表側透明基板４１と裏側透明基板４２をシール部４３で封止し、封止部内が液晶層４４にしてある。裏側透明基板４２の液晶層４４側には半透過反射膜４５が設けてあり、表側透明基板４１の表側には偏光板４６が設けてある。
【００１３】
第２の表示パネル５０は、透過型のカラー液晶表示装置で、表側透明基板５２と裏側透明基板５３をシール部５４で封止し、封止部内が液晶層５５にしてある。裏側透明基板５２の液晶層５５側にはカラーフィルター５６が設けてあり、表側透明基板５２の表側と裏側透明基板５３の裏側には偏光板５７、５８がそれぞれ設けてある。
【００１４】
図１４において、第１の表示パネル４０に入射した外光Ｓは偏光板４６、液晶層４４等を透過したのち半透過反射膜４５で反射され、再度液晶層４４、偏光板４６を透過して視認される。このように第１の表示パネル４０は反射型液晶表示装置として機能する。
【００１５】
第２の表示パネル５０は透過型カラータイプ液晶表示装置で、使用時にバックライト装置５１を点灯させると、第２の表示パネル５０方向へ向う光Ｓ１はそのまま進んで第２の表示パネル５０の光源となり、第１の表示パネル４０方向へ向う光は第１の表示パネル４０の透明基板４２を透過した後、第１の表示パネル４０の半透過反射膜４５で反射されて第２の表示パネル５０方向に進み光源となる。このようにバックライト装置５１の全出射光が第２の表示パネル５０の光源として使われる。
【００１６】
このように図１４の構成でも第２の表示パネル５０用のバックライト装置５１が第１の表示パネル４０の半透過反射膜４５を利用するという形で光学的に光源が結合されている。
【００１７】
また、従来の液晶表示装置としては、特許文献２に述べられているように、図１５に示す液晶表示装置が提案されている。この液晶表示装置は、第１の透明基板６０と第２の透明基板６１の外周部をシール部６２によってシールし、その間に液晶物質を封入して液晶層６３とした表示パネル６４を備えている。
【００１８】
第１の透明基板６０のシール部６２の右方外側下面には液晶装置を駆動する集積回路６
５が導電粒６６を含む異方性導電膜６７によって接続してある。第１の透明基板６０の視認側（図１５に於いて上方）には光制御層６８が形成してあり、この光制御層６８は第１の透明基板６０上の集積回路６５が接続されている部分を除いた全域に形成してある。  
【００１９】
第１の偏光板６９と位相差板７０とからなる第１偏光部材７１は光制御層６８の上方に配置している。第２の透明基板６１の液晶層６３側には内在反射層７２が形成してある。光源７３は第２の偏光板７４と第２の位相差板７５を介して第１の透明基板６０の左方側面に密着して配置してある。
【００２０】
図１５の構成においては、第１の透明基板６０の厚みを第２の透明基板６１よりも厚くしてあり、また、凹凸が形成された光制御層６８を上方に有する第１の透明基板６０と第１の偏光板７４とは光制御層６８上で接着部材７６によって接着してある。
【００２１】
【特許文献１】特開２００４−４５７２７号公報
【特許文献２】特開２００１−７５０８７号公報
【発明の開示】
【発明が解決しようとする課題】
【００２２】
２つの液晶表示装置１１０１、１１０２を背中合わせに配置するために、携帯電話器の厚みが増し、携帯性に欠けるという問題もある。例えば、図１３に示した携帯電話器１０００の場合、第１の表示パネル１１０３の厚みは１．５ｍｍであり、第１のバックライト１１０４の厚みは１ｍｍであり、総厚は２．５ｍｍとなる。第２の液晶表示装置１１０２は第１の液晶表示装置１１０１と同構造であるため略同じ厚さになるので、２つの液晶装置を背中合わせに重ねると５ｍｍ程度の厚さになってしまう。さらに支持枠などの厚さが加わるために携帯電話器としては非常に厚いものになってしまう。
【００２３】
このように、従来の両面表示が可能な液晶表示装置では、バックライトを装備する部位の厚さが厚くなり、携帯性を損なうという問題がある。
【００２４】
また、特許文献１に開示された液晶表示装置にあっては、第１の表示パネル４０と第２の表示パネル５０とをそれぞれ照明するのに、一つのバックライト装置５１を用い、特に、バックライト装置５１の全出射光が第２の表示パネル５０の光源として使われるという構成であり、また、特許文献２に開示された液晶表示装置にあっては、第１の透明基板の視認側には光制御層６８が形成してあり、第１偏光部材は光制御層６８の上方に配置してあり、いずれの液晶表示装置も、一方の表示パネルの他方の表示パネル側の透明基板が、光を導光する導光部材としての機能を有し、この導光機能付透明基板から出射した光が他方の表示パネルを照明するという機能を有するようにしたものではない。
【００２５】
本発明はかかる従来の問題を改善するためになされたもので、その目的とするところは、一方の表示パネルが他方の表示パネルをも照明するが照明手段を備えることにより、バックライト装置が不要になり、その分、厚さを薄くすることができる表示装置を提供することである。
【課題を解決するための手段】
【００２６】
上記の目的を達成するために、本発明に係る表示装置は、液晶を挟んで対向する２枚の透明基板を有する表示パネルを備えた表示装置であって、前記一方及び他方のいずれかの前記透明基板が、光を導光する導光部材としての機能を有し、この導光機能付透明基板に入射した光は前記液晶を介さずに外部に出射することを特徴とする。
【００２７】
かかる構成により、一方の表示パネルが他方の表示パネルをも照明するが照明手段を備えることにより、バックライト装置によらず、表示パネル自体で、被照明体を照明する照明光を発光させることができる。このために、バックライト装置が不要になり、その分、表示装置の厚さを薄くすることができる。
【００２８】
また、本発明に係る表示装置は、上記した本発明に係る表示装置において、導光機能付透明基板の液晶層側に反射層を設けて、導光機能付透明基板に入射した入射光を反射層で反射させて出射して、この出射光を照明光にするようにしたことを特徴とする。
【００２９】
かかる構成により、導光機能付透明基板に入射した入射光を反射層で反射させて出射して、この出射光を照明光にすることができる。この照明光により照明される被照明体は、他方（サブ）の表示パネルであり、各種情報表示体である。
【００３０】
また、本発明に係る表示装置は、上記した本発明に係る表示装置において、導光機能付基板の反射層とは反対側に、凹凸形状により光の進行方向を制御する光制御部材を設けるようにしたことを特徴とする。
【００３１】
かかる構成により、導光機能付透明基板に入射した入射光を反射層で反射させて出射して、この出射光の進行方向を光制御部材により制御して目的とする被照明体の照明光にすることができる。
【００３２】
また、本発明に係る表示装置は、上記した本発明に係る表示装置において、光制御部材は、導光機能付基板に直接接着されていることを特徴とする。
【００３３】
かかる構成により、導光機能付基板に制御部材が直接接着されて表示パネルが構成してあって、この表示パネルの照明光を明るいものにすることができる。
【００３４】
また、上記の目的を達成するために、本発明に係る表示装置は、液晶を挟んで対向する２枚の透明基板を有する表示パネルを二枚重ねして構成される表示装置であって、一方の表示パネルの他方の表示パネル側の透明基板が、光を導光する導光部材としての機能を有し、この導光機能付透明基板から出射した光が他方の表示パネルを照明するようにしたことを特徴とする。
【００３５】
かかる構成により、バックライト装置によらず、一方の表示パネル自体で、他方の表示パネルを照明する照明光を発光させることができる。このように、バックライト装置が不要になり、その分、表示装置の厚さを薄くすることが可能になる。
【００３６】
また、本発明に係る表示装置は、上記した本発明に係る表示装置において、導光機能付透明基板の液晶層側に反射層を設けて、導光機能付透明基板に入射した入射光を反射層で反射させて出射して、この出射光を照明光にするようにしたことを特徴とする。
【００３７】
かかる構成により、導光機能付透明基板に入射した入射光を反射層で反射させて出射して、この出射光を照明光にして、他方の表示パネルを照明することができる。
【００３８】
また、本発明に係る表示装置は、上記した本発明に係る表示装置において、導光機能付基板と他方の表示パネルの間には、凹凸形状により光の進行方向を制御する光制御部材が少なくとも１つを設けるようにしたことを特徴とする。
【００３９】
かかる構成により、導光機能付透明基板に入射した入射光を反射層で反射させて出射して、この出射光の進行方向を光制御部材により制御して他方の表示パネルの照明光にする
ことができる。
【００４０】
また、本発明に係る表示装置は、上記した本発明に係る表示装置において、導光機能付基板に最も近く配設される光制御部材の平面の大きさは、他方の表示パネルの平面の大きさとほぼ同じであることを特徴とする。
【００４１】
かかる構成により、一方の表示パネル（例えば、メイン表示パネル）に対して他方の表示パネル（例えば、サブ表示パネル）の大きさが小さいと、他方の表示パネルを照明する光の利用効率が悪く、導光機能付基板の光制御部材が設けられていない部分から光が出射して、光が漏れることになる。しかし、他方の表示パネルの表示領域の略全域に光制御部材（例えば、プリズムシート等）が対応するために、光制御部材外のところでの光が出射することが無く光を有効に使うことができる。すなわち、一方の表示パネルに対して他方の表示パネルの大きさが小さくても、不要な箇所から光を出射しないので、他方の表示パネルを照明する光の利用効率が良い。
【００４２】
また、本発明に係る表示装置は、上記した本発明に係る表示装置において、一方の表示パネルの表示領域が他方の表示パネルの表示領域より大きいことを特徴とする。
【００４３】
かかる構成により、他方の表示パネルの表示領域の略全域に照明光を出射することができて、光を有効に使うことができる。
【００４４】
また、本発明に係る表示装置は、上記した本発明に係る表示装置において、導光機能付基板に最も近く配設される光制御部材は、導光機能付基板に直接接着されていることを特徴とする。
【００４５】
かかる構成により、導光機能付基板に制御部材が直接接着されて一方の表示パネルが構成してあって、この一方の表示パネルの照明光を明るいものにすることができる。
【００４６】
また、本発明に係る表示装置は、上記した本発明に係る表示装置において、導光機能付基板の側方に光源を有することを特徴とする。
【００４７】
かかる構成により、光源からの光を導光機能付基板に入射して、この入射光を反射層で反射させて出射して、この出射光の進行方向を光制御部材により制御して他方の表示パネルの照明光にすることができる。
【００４８】
また、本発明に係る表示装置は、上記した本発明に係る表示装置において、一方の表示パネルの外側に、この一方の表示パネルの照明光を出射するフロントライトを配設したことを特徴とする。
【００４９】
かかる構成により、フロントライトが出射する照明光で一方の表示パネルを照明して、この一方の表示パネルでの表示を行い、一方の表示パネルからの照明光で他方の表示パネルを照明して、この他方の表示パネルでの表示を行うことができる。
【００５０】
また、本発明に係る表示装置は、上記した本発明に係る表示装置において、フロントライトは、導光部材を有していて、この導光部材の一方の表示パネルとは反対側の面部に、光の進行方向を制御する光制御層を設けると共に、導光部材の一辺に光源を配置して構成してあり、光源からの発光を導光部材に入射させて光制御層で反射させて出射させて、この出射光を照明光にするようにしたことを特徴とする。
【００５１】
かかる構成により、外光からの光量が比較的多い場合には、外光線は光制御層に入射し
、導光部材、一方の表示パネルに入射する。その後、反射層で反射し、入射したときと同様の経路で入射側にある光制御層に戻され、視認側で視認される。また、外光からの光量が少ない場合（環境が暗い場合）はフロントライトの光源を点灯して、この光は光源から導光部材に入射した後、この導光部材から光制御層に入射し、光制御層の面で反射し、再び導光部材に入射し、一方の表示パネルに入射する。その後、反射層で反射し、入射したときと同様の経路で入射側にある光制御層に戻され、視認側で視認される。このように、光の利用効率が向上する。
【００５２】
また、上記の目的を達成するために、本発明に係る表示装置は、電極を有する第１の透明基板と電極を有する第２の透明基板が液晶層を挟んで対向する構成を有する一方の表示パネルと、電極を有する第３の透明基板と電極を有する第４の透明基板が液晶層を挟んで対向する構成を有する他方の表示パネルとを重ね合わせて構成される表示装置において、一方の表示パネルにおける第２の表示パネル側に位置する第２の透明基板には、その液晶層側に反射層が配設されており、他方の透明基板の反射層とは反対側の面部には少なくとも他方の表示パネルの表示領域を覆うプリズムシートが配設されており、且つ第２の透明基板の一辺に光源が配設されていることを特徴とする。
【００５３】
かかる構成により、光源を点灯することで、この光源から一方の表示パネルの第２の透明基板に入射した後、光反射層で反射し、再び第２の透明基板からプリズムシートに入射する。このプリズムシートに入射した光は出射角を変えて光制御層と空気との境界で反射し、再び第２の透明基板に入射して再び光反射層で反射し、第２の透明基板を経てプリズムシートを透過して、他方の表示パネルの第３の透明基板を透過して液晶層に入射し、第４の透明基板を透過する。このときに視認側で観察すると、例えば、暗（黒）表示として認識することができ、明（白）表示は電極に外部回路から電圧を印加して液晶層の両端に電位差を与えることにより実現することができる。
【００５４】
また、上記の目的を達成するために、本発明に係る表示装置は、対向する電極を有する２枚の基板の間に電気光学変換部材を封止した構成を有する表示パネルを有する表示装置において、表示パネルに基板が光を導光する導光部材としての機能を有すると共にこの導光部材としての機能を有する導光機能付基板から出る光は主に前記表示パネルとは異なる他のパネルを照明することを特徴とする。
さらに、前記導光機能付基板の前記他のパネルと対向するの面と反対側の面の上には、反射層が配設されており、前記反射層は前記導光機能付基板に入射する光を前記他のパネル側に反射し前記電気光学変換部材には光を進行させないことを特徴とする。
さらに、前記導光機能付基板と前記他のパネルの間には、凹凸形状により光の進行方向を制御する光制御部材が少なくとも１つも設けられることを特徴とする。
【００５５】
このように、一方の表示パネルが照明手段を有していることにより、バックライト装置によらず、一方の表示パネル自体で、他方の表示パネルを照明する照明光を発光させることができる。このように、バックライト装置が不要になり、その分、表示装置の厚さを薄くすることができる。
【発明の効果】
【００５６】
本発明に係る表示装置によれば、一方の表示パネルが照明手段を有していることにより、バックライト装置によらず、一方の表示パネル自体で、他方の表示パネルを照明する照明光を発光させることができる。このように、バックライト装置が不要になり、その分、表示装置の厚さを薄くすることができる。
【００５７】
また、本発明に係る表示装置によれば、一方の表示パネル（例えば、メイン表示パネル）に対して他方の表示パネル（例えば、サブ表示パネル）の大きさが小さい場合には表示
領域の略全域に上記光制御部材を設けることで光制御部材外のところでの光が出射することが無く光を有効に使うことができる。すなわち、一方の表示パネルに対して他方の表示パネルの大きさが小さくても、不要な箇所から光を出射しないので、他方の表示パネルを照明する光の利用効率が良いものになる。
【００５８】
また、本発明に係る表示装置によれば、一方の表示パネルの外側に、この一方の表示パネルの照明光を出射するフロントライトを配設したことにより、フロントライトが出射する照明光で一方の表示パネルを照明して、この一方の表示パネルでの表示を行い、一方の表示パネルからの照明光で他方の表示パネルを照明して、この他方の表示パネルでの表示を行うことができる。
【発明を実施するための最良の形態】
【００５９】
本発明に係る表示装置は、電気光学変換部材として液晶を用いた。このような表示装置は、液晶を挟んで対向する２枚の透明基板を有する表示パネルを二枚重ねして構成される表示装置であって、一方の表示パネル及び他方の表示パネルのいずれかの透明基板が、光を導光する導光部材としての機能を有し、この導光機能付透明基板から出射した光を照明光にするようにしたものであり、そこにはさらに、前記導光機能付基板の前記表示パネルとは異なる他のパネルと対向するの面と反対側の面の上方には、反射層が配設されており、前記反射層は前記導光機能付基板に入射する光を前記他のパネル側に反射し前記電気光学変換部材には光を進行させないことを特徴を有し、さらに、前記導光機能付基板と前記他のパネルとの間には、凹凸形状により光の進行方向を制御する光制御部材が少なくとも１つも設けられることを特徴とする。
【００６０】
上記の構成により、一方の表示パネルが照明手段を有していることにより、バックライト装置によらず、表示パネル自体で、被照明体を照明する照明光を発光させることができる。このように、バックライト装置が不要になり、その分、表示装置の厚さを薄くすることができるばかりか、また、照明光を明るいものにすることができる。
【実施例１】
【００６１】
本発明に係る表示装置の実施例１を図１乃至図７に示す。
図１及び図２中１０１は一方の表示パネルである第１の表示パネル、Ｋは、被照明体である透過型フィルムや板に文字や絵を描いた広告パネルなどである。このプリズムシートは、入射する光を所定の指向性を持った光として出射する機能を有する。
【００６２】
第１の表示パネル１０１は反射型の液晶表示パネルであり、視認側の第１の透明基板１１０と照明側の第２の透明基板１１１と液晶層１１２とを備えており、第１の透明基板１１０は透明電極材料であるＩＴＯからなる第１の電極と配向膜（いずれも図示せず）とが形成されたガラス板で構成してあり、また、第２の透明基板１１１はアルミニウムからなる反射層１１３とアクリル系材料からなる保護膜（図示せず）と透明電極材料であるＩＴＯからなる第２の電極（ＳＴＮタイプの液晶装置の場合にはストライプ状の透明電極が、アクティブタイプの液晶装置の場合は能動素子と表示用電極）（図示せず）と電極の液晶側の面に配設される配向膜とが形成されているガラス板で構成してある。
【００６３】
そして、第１の透明基板１１０と第２の透明基板１１１は、シール材１１４でその外周が張り合わされていて、これら一対の透明基板１１０、１１１は液晶層１１２を挟持している。また、直接に第２の透明基板１１１に固着されている光制御層１１５が設けてある。
【００６４】
また、第２の透明基板１１１の外側の面には光制御部材（プリズムシート）と同様（直接に第２の透明基板１１１に固着されている）の光制御層１１５が設けてある。この光制
御層１１５は、その面積が、第１の表示パネル１０１の液晶層１１２の表示領域面積にほぼ等しい大きさであって、第２の透明基板１１１の表面は光制御層１１５が無い部分１１１ａ（図３参照）が存在している。
【００６５】
図４及び図５に示すように、光制御層１１５は、透明基板１１１に用いるガラス上に、例えば、厚さ１００μｍのプリズムシート１１７をアクリル系接着剤で貼付して形成してある。プリズムシート１１７の表面には、例えば、深さ２０μｍでピッチ３００μｍの溝１１５Ａが形成してある。この溝１１５Ａの形状は、不等辺三角形型であり、二つの傾斜面１１５Ｂ、１１５Ｃを有している。
【００６６】
図２において、光源１１６は第２の透明基板１１１の端部に近接させてある。光源１１６としては、例えば、ＬＥＤを複数個並べて、拡散板を介した構造でもよいし、ＬＥＤを第２の透明基板１１１の対向する側面である両側に２灯配置し光ガイドで導光して一辺から出射する構造でもよい。つまり、ガラス端辺に比較的均一の輝度分布で光を出射できる光源（例えば、ＬＥＤ、ＦＬ）であれば何れでもかまわない。
【００６７】
第１の表示パネル１０１において、第２の透明基板１１１は導光機能付透明基板を構成するようになり、この第２の透明基板１１１と反射層１１３と光制御層１１５と光源１１６とで、被照明体Ｋを照明する照明手段を構成している。
【００６８】
次に、本発明の実施例１における動作について図２を用いて説明する。図２において、１４０は外部光源の光線の軌跡を表し、１４２、１４３は光源１１６からの光線の軌跡を表している。
【００６９】
第１の表示パネル１０１における表示を説明する。外光からの光量が比較的多い場合には外光を利用して表示が可能である。このときの動作を外光線１４０に従って説明する。外光線１４０は第１の表示パネル１０１の第１の透明基板１１０を透過して液晶層１１２に入射する。その後、反射層１１３で反射し、入射したときと同様の経路で入射側にある第１の透明基板１１０に戻される。
【００７０】
このときに視認側で観察すると、例えば、黒表示として認識することが出来る。白表示は、第１の透明基板１１０上の電極を第２の透明基板１１１上の電極に外部回路から電圧を印加して液晶層１１２の両端に電位差を与えることにより実現する。
【００７１】
光制御層１１５に入射した光は、図２及び図３に示すように、光制御層１１５の溝１１５Ａの傾斜面１１５Ｂで反射するとともに反射角が変化し、再び第２の透明基板１１１に入射して再び光反射層１１３で反射するときに、第２の透明基板１１１を経て光制御層１１５を透過して、被照明体Ｋを照明する照明光Ｆになる。
【００７２】
なお、図２の光線１４３は光源１１６から第１の表示パネル１０１の第２の透明基板１１１上に形成する光反射層１１３側に出射する光であるが、図４に示すように光制御層１１５の溝１１５Ａの傾斜面１１５Ｃに入射したときに傾斜面１１５Ｂで反射し、光反射層１１３（図２参照）で反射して被照明体Ｋに出射している。１回目の反射では光線１４３の入射角が浅いので、この光線１４３は第２の透明基板１１１を全反射して外に出ることはない。
【００７３】
上記した本発明の実施例１によれば、光源１１６を点灯することで、この光源１１６から一方の表示パネル１０１の第２の透明基板１１１に入射した後、光反射層１１３で反射し、再び第２の透明基板１１１から光制御層１１５（例えば、プリズム層やプリズムシート）に入射する。この光制御層１１５に入射した光は出射角を変えて光制御層１１５と空
気との境界で反射し、再び第２の透明基板１１１に入射して再び光反射層１１３で反射し、第２の透明基板１１１を経て光制御層１１５を透過して、被照明体Ｋを透過する。
【００７４】
このように、第１の表示パネル１０１が照明手段を有していることにより、バックライト装置によらず、第１の表示パネル１０１自体で、被照明体Ｋを照明する照明光を発光させることができる。このように、バックライト装置が不要になり、その分、表示装置の厚さを薄くすることができる。
【００７５】
また、上記した本発明の実施例１によれば、図２及び図３に示すように光源１１６から一方の表示パネル１０１の第２の透明基板１１１に入射した光が第２の表示パネル１０２の表示領域の略全域に光制御層１１５が対応するために、光制御層１１５が配設された以外のところ（光制御層１１５が無い部分１１１ａ）での光が出射することが無く光を有効に使うことができる。すなわち、第１の表示パネル１０１に対して被照明体Ｋの大きさが小さくても、不要な箇所から光を出射しないので、被照明体Ｋを照明する光の利用効率が良い。
【００７６】
なお、上記した本発明の実施例１では、被照明体Ｋとしては、上記した広告パネルに限定せずフィルム写真、文字あるいは記号表示体であっても良い。また、上記した本発明の実施例１では、図６に示すように光制御層１１５は、第２の透明基板１１１に用いるガラス上に、例えば、厚さ１００μｍのプリズムシート１１７をアクリル系接着剤で貼付して形成するようにしたが、これに限らず、図７に示すように第２の透明基板１１１に用いるガラス上に、この第２の透明基板１１１と一体に金型を用いて成形してもよいし、第２の透明基板１１１に用いるガラス部材あるいはプラスチック部材上に、切削加工、エッチング等で形成するようにしてもよい。
【００７７】
このように、本発明に係る表示装置は、以下のごとく実施例１と比較できる。
対向する電極を有する２枚の基板（図１の１１０と１１１）の間に電気光学変換部材（図１の１１２）を封止した構成を有する表示パネル（図１の１０１）を有する表示装置において、前記表示パネルに基板（図１の１１１）が光を導光する導光部材としての機能を有すると共にこの導光部材としての機能を有する導光機能付基板（図１の１１１）から出る光は主に前記表示パネル（図１の１０１）とは異なる他のパネル（図１のＫ）を照明することを特徴とする。
さらに、前記導光機能付基板（図１の１１１）の前記他のパネル（図１のＫ）と対向するの面と反対側の面の上には、反射層（図１の１１３）が配設されており、前記反射層（図１の１１３）は前記導光機能付基板（図１の１１１）に入射する光（１４２，１４３）を前記他のパネル（図１のＫ）側に反射し（図１のＦ）前記電気光学変換部材（図１の１１２）には光を進行させないことを特徴とする。
さらに、前記導光機能付基板と前記他のパネルの間には、凹凸形状により光の進行方向を制御する光制御部材（図１の１１５）が少なくとも１つも設けられることを特徴とする。
このように本願発明は実施例１の如く、１の光制御層１１５に限定されることなく、光制御層を２層や３層としても良い。例えば、２層の光制御層としたとには、一層目の光制御層のプリズムの稜線の方向と二層目の光制御層のプリズムの稜線の方向とを直角に配置することが好ましく、光制御方向（光の放射指向性）の目的によっては、直角方向からずらした角度としても良い。一層目と二層目のプリズム層の重ね合わせは、一方のプリズムの頂角上に他方のプリズム層の底面である実質的平面を重ねるのがよい。
以上の比較は、実施例１との比較であり、本発明は、実施例１に限定されるものではない。
【実施例２】
【００７８】
本発明に係る表示装置の実施例２を図３乃至図９に示す。なお、一方の表示パネル１０１は、上記した実施例１と全く同じ構成である。また、この実施例２において、上記した実施例１と異なる点は第１の表示パネルに光制御部材と第２の表示パネルとを備えた点である。
【００７９】
図８及び図９中１０１は一方の表示パネルである第１の表示パネル、１０２は、被照明体としての他方の表示パネルである第２の表示パネル、１０４は光制御部材であるプリズムシートである。このプリズムシートは、入射する光を所定の指向性を持った光として出射する機能を有する。
【００８０】
図８及び図９に示すように第１の表示パネル１０１は反射型の白黒液晶表示パネルであり、視認側の第１の透明基板１１０と照明側の第２の透明基板１１１と液晶層１１２とを備えており、第１の透明基板１１０は透明電極材料であるＩＴＯからなる第１の電極と配向膜（いずれも図示せず）とが形成されたガラス板で構成してあり、また、第２の透明基板１１１はアルミニウムからなる反射層１１３とアクリル系材料からなる保護膜（図示せず）と透明電極材料であるＩＴＯからなる第２の電極（ＳＴＮタイプの液晶装置の場合にはストライプ状の透明電極が、アクティブタイプの液晶装置の場合は能動素子と表示用電極）（図示せず）と電極の液晶側の面に配設される配向膜とが形成されているガラス板で構成してある。
【００８１】
そして、第１の透明基板１１０と第２の透明基板１１１は、シール材１１４でその外周が張り合わされていて、これら一対の透明基板１１０、１１１は液晶層１１２を挟持している。
【００８２】
また、図９に示すように第２の透明基板１１１の外側の面には、第２の表示パネル１０２側に光制御部材（プリズムシート）と同様（直接に第２の透明基板１１１に固着されている）の光制御層１１５が設けてある。この光制御層１１５は、その面積が、第１の表示パネル１０１の液晶層１１２の表示領域面積にほぼ等しい大きさであって、第２の透明基板１１１の表面は光制御層１１５が無い部分１１１ａ（図３参照）が存在している。
【００８３】
図５及び図６に示すように、光制御層１１５は、透明基板１１１に用いるガラス上に、例えば、厚さ１００μｍのプリズムシート１１７をアクリル系接着剤で貼付して形成してある。プリズムシート１１７の表面には、例えば、深さ２０μｍでピッチ３００μｍの溝１１５Ａが形成してある。この溝１１５Ａの形状は、不等辺三角形型であり、二つの傾斜面１１５Ｂ、１１５Ｃを有している。
【００８４】
図９において、光源１１６は第２の透明基板１１１の端部に近接させてある。光源１１６としては、例えば、ＬＥＤを複数個並べて、拡散板を介した構造でもよいし、ＬＥＤを第２の透明基板１１１の対向する側面である両側に２灯配置し光ガイドで導光して一辺から出射する構造でもよい。つまり、ガラス端辺に比較的均一の輝度分布で光を出射できる光源（例えば、ＬＥＤ、ＦＬ）であれば何れでもかまわない。
【００８５】
第１の表示パネル１０１において、第２の透明基板１１１は導光機能付透明基板を構成するようになり、この第２の透明基板１１１と反射層１１３と光制御層１１５と光源１１６とで、被照明体である第２の表示パネル１０２を照明する照明手段を構成している。
【００８６】
第２の表示パネル１０２は透過型のカラー液晶表示パネルであり、第３の透明基板１３０と第４の透明基板１３１をシール部１３２で液晶を封止し、封止部内が液晶層１３３となっている。第３の透明基板１３０の液晶層１３３側にはカラーフィルター（図示せず）が設けられ、第３の透明基板１３０の表側と第４の透明基板１３１の裏側には偏光板（図
示せず）がそれぞれ設けてある。また、図示は省略してあるが第２の透明基板１３０の液晶層１３３側には透明電極（図示せず）が、第４の透明基板１３１の液晶層１３３側には、ＳＴＮタイプの液晶装置の場合にはストライプ状の透明電極が、アクティブタイプの液晶装置の場合は能動素子と表示用電極が設けられていることは第１の表示パネル１０１と同様である。
【００８７】
次に、本発明の実施例２における動作について図９を用いて説明する。図９において、１４０は外部光源の光線の軌跡を表し、１４２、１４３は光源１１６からの光線の軌跡を表している。
【００８８】
第１の表示パネル１０１における表示を説明する。外光からの光量が比較的多い場合には外光を利用して表示が可能である。このときの動作を外光線１４０に従って説明する。外光線１４０は第１の表示パネル１０１の第１の透明基板１１０を透過して液晶層１１２に入射する。その後、反射層１１３で反射し、入射したときと同様の経路で入射側にある第１の透明基板１１０に戻される。
【００８９】
このときに視認側で観察すると、例えば、黒表示として認識することが出来る。白表示は、第１の透明基板１１０上の電極を第２の透明基板１１１上の電極に外部回路から電圧を印加して液晶層１１２の両端に電位差を与えることにより実現する。
【００９０】
次に、第２の表示パネル１０２における表示を、光源１１６を点灯して行う動作について説明する。光源１１６からの光線１４２は第２の透明基板１１１に入射した後、光反射層１１３で反射し第２の透明基板１１１から光制御層１１５に入射する。
【００９１】
光制御層１１５に入射した光は、図４及び図９に示すように、光制御層１１５の溝１１５Ａの傾斜面１１５Ｂで反射するとともに反射光の光の方向が変化し、再び第２の透明基板１１１に入射して再び光反射層１１３で反射するときに、第２の透明基板１１１を経て光制御層１１５を透過して、第２の表示パネル１０２の照明光Ｆになる。
【００９２】
この照明光Ｆは、プリズムシート１０４を透過することで、より明るい光になり、第２の表示パネル１０２の第３の透明基板１３０を透過して液晶層１３３に入射し、第４の透明基板１３１を透過する。
【００９３】
視認側の観察は、例えば、電圧無印加で第３の透明電極１３０と第４の透明電極１３１のそれぞれの基板上に設けられた電極に電圧を印加しない状態で、暗（黒）表示認識することが出来る。明（白）表示は、前記電極間に電位差を生じるように、それぞれの前記電極に電位を与えるために外部回路から電圧を印加して液晶層１３３の両端に電位差を与えることにより実現する。
【００９４】
なお、図９の光線１４３は光源１１６から第１の表示パネル１０１の第２の透明基板１１１上に形成する第１の透明基板１１０側に出射するはずの光であるが、光制御層１１５の溝１１５Ａの傾斜面１１５Ｃに入射したときに傾斜面１１５Ｂで反射し、光反射層１１３で反射して第２の表示パネル１０２に出射している。１回目の反射では光線１４３の入射角が浅いので、この光線１４３は第２の透明基板１１１を全反射して外に出ることはない。
【００９５】
上記した本発明の実施例２によれば、光源１１６を点灯することで、この光源１１６から一方の表示パネル１０１の第２の透明基板１１１に入射した後、光反射層１１３で反射し、再び第２の透明基板１１１から光制御層（プリズムシート）１１５に入射する。この光制御層１１５に入射した光は出射角を変えて光制御層１１５と空気との境界で反射し、
再び第２の透明基板１１１に入射して再び光反射層１１３で反射し、第２の透明基板１１１を経て光制御層１１５を透過して、他方の表示パネル１０２の第３の透明基板１３０を透過して液晶層１３３に入射し、第４の透明基板１３１を透過する。このときに視認側で観察すると、例えば、第３の透明電極１３０と第４の透明電極１３１のそれぞれの基板上に設けられた電極に電圧を印加しない状態で、暗（黒）表示として認識することが出来る。明（白）表示は、前記電極間に電位差を生じるように、それぞれの前記電極に電位を与えるために外部回路から電圧を印加して液晶層１３３の両端に電位差を与えることにより実現する。
【００９６】
このように、第１の表示パネル１０１が照明手段を有していることにより、バックライト装置によらず、第１の表示パネル１０１自体で、第２の表示パネル１０２を照明する照明光を発光させることができる。このように、バックライト装置が不要になり、その分、表示装置の厚さを薄くすることができる。
【００９７】
また、上記した本発明の実施例２によれば、図３及び図９に示すように光源１１６から一方の表示パネル１０１の第２の透明基板１１１に入射した光が第２の表示パネル１０２の表示領域の略全域に光制御層１１５が対応するために、光制御層１１５が配設された以外のところ（光制御層１１５が無い部分１１１ａ）での光が出射することが無く光を有効に使うことができる。すなわち、第１の表示パネル１０１に対して第２の表示パネル１０２の大きさが小さくても、不要な箇所から光を出射しないので、第２の表示パネル１０２を照明する光の利用効率が良い。
【００９８】
また、上記した本発明の実施例２では、第１の表示パネル１０１を白黒表示とし第２の表示パネル１０２をカラー表示としたが、第１の表示パネル１０１をカラー表示とし第２の表示パネル１０２を白黒表示としても良く、あるいは第１の表示パネル１０１をカラー表示とし第２の表示パネル１０２をカラー表示としても良く、或いは、第１の表示パネル１０１を白黒表示とし第２の表示パネル１０２を白黒表示としても良く、本実施例と同様な効果を得ることができる。
【００９９】
なお、上記した本発明の実施例２では、図６に示すように光制御層１１５は、第２の透明基板１１１に用いるガラス上に、例えば、厚さ１００μｍのプリズムシート１１７をアクリル系接着剤で貼付して形成するようにしたが、これに限らず、図７に示すように第２の透明基板１１１に用いるガラス上に、この第２の透明基板１１１と一体に金型を用いて成形してもよいし、第２の透明基板１１１に用いるガラス部材あるいはプラスチック部材上に、切削加工、エッチング等で形成するようにしてもよい。
【０１００】
また、本発明に係る表示装置は、ＳＴＮタイプの両面表示タイプ液晶装置、アクティブタイプの両面表示タイプ液晶装置、一方の表示パネルをＳＴＮタイプとし、他方の表示ぱねるをアクティブタイプの両者の組み合わせによる両面表示タイブ液晶のすべてに対して実施例１と同様な効果を得ることができる。
【実施例３】
【０１０１】
本発明の実施例３を図３乃至図７及び図１０乃至図１２に示す。
本発明による表示装置（液晶表示装置）の実施例３は、図１０に示すように第１の表示パネル１０１と、第２の表示パネル１０２と、プリズムシート１０４と、第１の表示パネル１０１の視認側に配置されたフロントライト１０３とで構成してある。
【０１０２】
第１の表示パネル１０１と第２の表示パネル１０２とプリズムシート１０４とは、上記した本発明の実施例２で述べたものと同構成であるために、同じ符号を付して説明を省略する。
【０１０３】
フロントライト１０３は光源１０５と導光部材である導光板１０６で構成してあり、この導光板１０６は、その面積が、第１の表示パネル１０１の表示領域面積にほぼ等しい大きさである。
【０１０４】
導光板１０６の視認側（図１０に於いて上方）の面全域にわたって光制御層１２０が設けてある。すなわち、この光制御層１２０は、導光板１０６に用いるガラス部材又はプラスチック部材上に、例えば、厚さ１００μｍのプリズムシート１１８をアクリル系接着剤で貼付して形成してある。プリズムシート１１８の表面には、プリズムシート１１８の斜視図である図１２に示すように、例えば、深さ２０μｍで、ピッチ３００μｍの溝１２０Ａが形成してある。この溝１２０Ａの形状は、不等辺三角形型であり、二つの傾斜面１２０Ｂ、１２０Ｃを有している。
【０１０５】
図１０の断面図である図１１において、光源１０５は導光板１０６の端部に近接させてある。光源１０５としては、例えば、ＬＥＤを１個あるいは複数個並べて、導光板１０６と光源１０５の間に拡散板を介した構造でもよいし、ＬＥＤを導光板１０６の対向する側面である両側に２灯配置し光ガイドで導光して一辺から出射する構造でもよい。つまり、ガラス端辺に比較的均一の輝度分布で光を出射できる光源であれば何れでもかまわない。（例えば、点状光源或いは線状光源）
【０１０６】
次に、本発明の実施例３における動作について図１１を用いて説明する。図１１に於いて液晶表示装置の外側から入射する外光線１４０は外部からの光線の軌跡を表し、光１４１は光源１０５からの光線の軌跡を表している。また、１４２、１４３は光源１１６からの光線の軌跡を表している。
【０１０７】
第１の表示パネル１０１における表示を説明する。外光の光量が比較的多い場合には外光を利用して表示が可能である。このときの動作を外光線１４０に従って説明する。外光線１４０は光制御層１２０に入射し、導光板１０６、第１の表示パネル１０１の第１の透明基板１１０を透過して液晶層１１２に入射する。その後、反射層１１３で反射し、入射したときと同様の経路で入射側にある光制御層１２０に戻される。
【０１０８】
このときに視認側である図１１の上方で観察すると、例えば、第１の透明電極１１０と第２の透明電極１１１のそれぞれの基板上に設けられた電極に電圧を印加しない状態で、暗（黒）表示として認識することが出来る。明（白）表示は、前記電極間に電位差を生じるように、それぞれの前記電極に電位を与えるために外部回路から電圧を印加して液晶層１１２の両端に電位差を与えることにより実現する。
【０１０９】
次に外光からの光量が少ない場合（環境が暗い場合）はフロントライト１０３の光源１０５を点灯して表示を行う動作について説明する。光源１０５からの光線１４１は導光板１０６に入射した後、光制御層１２０の溝１２０Ａの傾斜面１２０Ｂで反射し、再び導光板１０６を透過して、第１の表示パネル１０１の照明光Ｆ１になる。
【０１１０】
この照明光Ｆ１は第１の表示パネル１０１の第１の透明基板１１０を透過して液晶層１１２に入射した後、光反射層１１３で反射し、再び液晶層１１２、第１の透明基板１１０を透過して導光板１０６に入射して、光制御層１２０を透過し、視認側に出射する。
【０１１１】
このときに視認側である図１１の上方で観察すると、例えば、第１の透明電極１１０と第２の透明電極１１１のそれぞれの基板上に設けられた電極に電圧を印加しない状態で、暗（黒）表示として認識することが出来る。明（白）表示は、前記電極間に電位差を生じるように、それぞれの前記電極に電位を与えるために外部回路から電圧を印加して液晶層
１１２の両端に電位差を与えることにより実現する。
【０１１２】
次に、第２の表示パネル１０２における表示を、光源１１６を点灯して行う動作について説明する。光源１１６からの光線１４２は第２の透明基板１１１に入射した後、光反射層１１３で反射し第２の透明基板１１１から光制御層１１５に入射する。
【０１１３】
光制御層１１５に入射した光は、図１１に示すように、光制御層１１５の溝１１５Ａの傾斜面１１５Ｂで反射し、再び第２の透明基板１１１に入射して再び光反射層１１３で反射し、第２の透明基板１１１を経て光制御層１１５を透過して、第２の表示パネル１０２の照明光Ｆになる。
【０１１４】
この照明光Ｆは、プリズムシート１０４を透過することで、より明るい光になり、第２の表示パネル１０２の第３の透明基板１３０を透過して液晶層１３３に入射し、第４の透明基板１３１を透過する。
【０１１５】
このときに視認側で観察すると、例えば、第３の透明電極１３０と第４の透明電極１３１のそれぞれの基板上に設けられた電極に電圧を印加しない状態で、暗（黒）表示として認識することが出来る。明（白）表示は、前記電極間に電位差を生じるように、それぞれの前記電極に電位を与えるために外部回路から電圧を印加して液晶層１３３の両端に電位差を与えることにより実現する。
【０１１６】
なお、図１１の光線１４３は光源１１６から第１の表示パネル１０１の第２の透明基板１１１上に形成する光反射層１１３側に出射する光であるが、光線１４３の入射角が浅いので、この光線１４３は第２の透明基板１１１を全反射して外に出ることはない。
【０１１７】
上記したように、本発明の実施例３によれば、外光からの光量が比較的多い場合には、外光線１４０は光制御層１２０に入射し、導光板１０６を経て第１の表示パネル１０１に入射する。その後、反射層１１３で反射し、入射したときと同様の経路で入射側にある光制御層１２０に戻され、視認側で視認される。また、外光からの光量が少ない場合（環境が暗い場合）はフロントライト１０３の光源１０５を点灯して、この光１４１は光源１０５から導光板１０６に入射した後、この導光板１０６から光制御層１２０に入射し、光制御層１２０の面で反射し、再び導光板１０６に入射し、第１の表示パネル１０１に入射する。その後、反射層１１３で反射し、入射したときと同様の経路で入射側にある光制御層１２０に戻され、視認側で視認される。このように、光の利用効率が向上する。
【０１１８】
また、本発明の実施例３によれば、上記した本発明の実施例１及び実施例２と同様の効果を有することは勿論である。
【産業上の利用可能性】
【０１１９】
本発明は、一方の表示パネルが照明手段を有していることにより、バックライト装置によらず、一方の表示パネル自体で、他方の表示パネルを照明する照明光を発光させることができる。このように、バックライト装置が不要になり、その分、表示装置の厚さを薄くすることができるという効果を有し、液晶表示装置のような表示装置であって、特に、２枚の表示パネルを互いに背合わせに配置し、その各表示パネルを視認可能にした両面表示の表示装置等として有用である。
【図面の簡単な説明】
【０１２０】
【図１】本発明に係る表示装置の実施例１の分解斜視図である。
【図２】本発明に係る表示装置の実施例１の断面図である。
【図３】図２、図９及び図１１のＢ方向から見た平面図である。
【図４】図２、図９及び図１１のＡ部の拡大図である。
【図５】本発明に係る表示装置の実施例１乃至実施例３の光制御層を構成するプリズムシートの斜視図である。
【図６】本発明に係る表示装置のプリズムシートと第２の透明基板との接着状態を示す断面図である。
【図７】本発明に係る表示装置のプリズムシートと第２の透明基板とを一体に成形した状態を示す断面図である。
【図８】本発明に係る表示装置の実施例２の分解斜視図である。
【図９】本発明に係る表示装置の実施例２の断面図である。
【図１０】本発明に係る表示装置の実施例２の光制御層を構成するプリズムシートの斜視図である。
【図１１】本発明に係る表示装置の実施例３の分解斜視図である。
【図１２】本発明に係る表示装置の実施例３の断面図である。
【図１３】携帯電話器の構成説明図である。
【図１４】従来の両面表示タイプの液晶表示装置の断面図である。
【図１５】従来の液晶表示装置の断面図である
【符号の説明】
【０１２１】
１０１    第１の表示パネル（一方の表示パネル）
１０２    第２の表示パネル（他方の表示パネル）
１０３    フロントライト
１０４    プリズムシート（光制御部材）
１０５    光源
１０６    導光板（導光部材）
１１０    第１の透明基板
１１１    第２の透明基板（導光機能付透明基板）
１１２    液晶層
１１３    反射層
１１５    光制御層（光制御部材）
１１７    プリズムシート
１１６    光源
１３０    第３の透明基板
１３１    第４の透明基板
１３３    液晶層
Ｆ        照明光
Ｋ        被照明体
【図１】
2006058331.tif 000003
【図２】
2006058331.tif 000004
【図３】
2006058331.tif 000005
【図４】
2006058331.tif 000006
【図５】
2006058331.tif 000007
【図６】
2006058331.tif 000008
【図７】
2006058331.tif 000009
【図８】
2006058331.tif 000010
【図９】
2006058331.tif 000011
【図１０】
2006058331.tif 000012
【図１１】
2006058331.tif 000013
【図１２】
2006058331.tif 000014
【図１３】
2006058331.tif 000015
【図１４】
2006058331.tif 000016
【図１５】
2006058331.tif 000017